(57)【要約】【課題】画像処理装置が複数存在する環境にて、ワイヤレス操作パネルを使用する場合の利便性を向上させること。【解決手段】画像処理装置本体１０００と無線通知可能な操作パネル３０００のＣＰＵ３１０１が、操作パネル３０００上で設定される設定値をＳＲＡＭ３１０９に保持させ、画像処理装置本体１０００との無線通信状態を判定し、画像処理装置本体１０００との無線通信が開始されたと判定された場合、ＳＲＡＭ３１０９に保持された設定値を画像処理装置本体１０００に送信して反映させる。【選択図】図２
2011096053.tif 000002
【特許請求の範囲】
【請求項１】
画像処理装置本体と無線通信可能な操作パネルであって、
当該操作パネル上で設定される設定値を保持する保持手段と、
前記画像処理装置本体との無線通信状態を判定する通信状態判定手段と、
前記通信状態判定手段によって前記画像処理装置本体との無線通信が開始されたと判定された場合、前記保持手段に保持された設定値を前記画像処理装置本体に送信して反映させる反映手段と、
を有することを特徴とする操作パネル。
【請求項２】
前記無線通信の切断後も当該操作パネル上で設定された設定値を保持するか否かを選択するための保持選択手段と、
前記通信状態判定手段によって前記画像処理装置本体との無線通信が切断されたと判定された場合で、且つ、前記保持選択手段により設定値を保持しない選択がなされた場合、前記保持手段に保持された設定値を初期値に戻す初期化手段と、
を有することを特徴とする請求項１に記載の操作パネル。
【請求項３】
前記無線通信の開始後に前記保持手段に保持された設定値を前記装置本体に反映させるか否かを選択するための反映選択手段と、
前記反映手段は、前記通信状態判定手段によって前記画像処理装置本体との無線通信が開始されたと判定された場合で、且つ、前記反映選択手段により設定値を反映させる選択がなされた場合には、前記保持手段に保持された設定値を前記画像処理装置本体に送信して反映させることを特徴とする請求項１又は２に記載の操作パネル。
【請求項４】
当該操作パネル上で前記画像処理装置本体へのジョブ実行が指示されたか否かを判定するジョブ指示判定手段と、
前記反映手段は、前記通信状態判定手段によって前記画像処理装置本体との無線通信が開始されたと判定された場合であって、前記ジョブ指示判定手段によりジョブ実行が指示されたと判定された場合であって、且つ、前記反映選択手段により設定値を反映させる選択がなされた場合には、前記保持手段に保持された設定値を前記装置本体に送信し、該設定値での前記ジョブの実行を指示することを特徴とする請求項３に記載の操作パネル。
【請求項５】
前記画像処理装置本体から前記画像処理装置本体に原稿がセットされているか否かを示す原稿検知情報を前記無線通信により取得する原稿検知情報取得手段と、
前記通信状態判定手段によって前記画像処理装置本体との無線通信が切断されたと判定された場合であって、前記原稿検知情報取得手段により取得された原稿検知情報が前記画像処理装置本体に原稿がセットされていることを示す場合、操作者に対して警告を行う警告手段と、
を有することを特徴とする請求項１乃至４のいずれか１項に記載の操作パネル。
【請求項６】
画像処理装置本体と無線通信可能な操作パネルを有する画像処理装置であって、
前記操作パネル上で設定される設定値を保持する前記操作パネルに設けられた保持手段と、
前記画像処理装置本体との無線通信状態を判定する前記操作パネルに設けられた通信状態判定手段と、
前記通信状態判定手段によって前記画像処理装置本体との無線通信が開始されたと判定された場合、前記保持手段に保持された設定値を前記画像処理装置本体に送信する前記操作パネルに設けられた送信手段と、
前記操作パネルから送信された設定値を前記画像処理装置本体に反映させる前記画像処理装置本体に設けられた反映手段と、
を有することを特徴とする画像処理装置。
【請求項７】
画像処理装置本体と無線通信可能な操作パネルの制御方法であって、
当該操作パネル上で設定される設定値を保持手段に保持する保持ステップと、
前記画像処理装置本体との無線通信状態を判定する通信状態判定ステップと、
前記通信状態判定ステップによって前記画像処理装置本体との通信が開始されたと判定された場合、前記保持手段に保持された設定値を前記画像処理装置本体に送信して反映させる反映ステップと、
を有することを特徴とする操作パネルの制御方法。
【請求項８】
画像処理装置本体と無線通信可能な操作パネルを有する画像処理装置の制御方法であって、
前記操作パネルが、前記操作パネル上で設定される設定値を前記操作パネルに設けられた保持手段に保持する保持ステップと、
前記操作パネルが、前記画像処理装置本体との無線通信状態を判定する通信状態判定ステップと、
前記操作パネルが、前記通信状態判定ステップによって前記画像処理装置本体との無線通信が開始されたと判定された場合、前記保持手段に保持された設定値を前記画像処理装置本体に送信する送信ステップと、
前記画像処理装置本体が、前記操作パネルから送信された設定値を前記画像処理装置本体に反映させる反映ステップと、
を有することを特徴とする画像処理装置の制御方法。
【請求項９】
画像処理装置本体と無線通信可能な操作パネルに設けられたプロセッサを、
当該操作パネル上で設定される設定値を保持手段に保持させる保持制御手段、
前記画像処理装置本体との無線通信状態を判定する通信状態判定手段、
前記通信状態判定手段によって前記画像処理装置本体との無線通信が開始されたと判定された場合、前記保持手段に保持された設定値を前記画像処理装置本体に送信して反映させる反映手段として機能させるためのプログラム。
【請求項１０】
画像処理装置本体と無線通信可能な操作パネルに設けられたプロセッサを、
前記操作パネル上で設定される設定値を保持手段に保持させる保持制御手段、
前記画像処理装置本体との無線通信状態を判定する通信状態判定手段、
前記通信状態判定手段によって前記画像処理装置本体との無線通信が開始されたと判定された場合、前記保持手段に保持された設定値を前記画像処理装置本体に送信する送信手段として機能させるプログラムと、
前記画像処理装置本体に設けられたプロセッサを、
前記操作パネルから送信された設定値を前記画像処理装置本体に反映させる反映手段として機能させるプログラムと、
を有することを特徴とするプログラム。
【発明の詳細な説明】
【技術分野】
【０００１】
本発明は、画像処理装置本体と着脱可能な操作パネル、画像処理装置、操作パネルの制御方法、画像処理装置の制御方法、及び、プログラムに関する。
【背景技術】
【０００２】
商業的印刷業界では、種々の作業工程を踏んで出版物の発行が行われている。具体的には、原稿の入稿、該原稿へのデザインの付与、レイアウト編集、カンプ（印刷によるプレゼンテーション）、校正（レイアウト修正や色修正）、校正刷り（プルーフ印刷）、版下作成、印刷、後処理加工、発送等がある。
【０００３】
商業的印刷業界の場合、印刷工程においてオフセット製版印刷機が用いられることが多いため、版下作成工程は不可欠な工程である。しかしながら、版下作成は、一度行うとその修正が容易ではなく、且つ修正を行った場合、コスト的にかなり不利になる。故に、版下作成にあたっては、入念な校正（即ち、入念なレイアウトのチェックや色の確認作業）が必須となってくる。このため、出版物の発行が完了するまでには、ある程度の期間を要することが一般的であった。
【０００４】
また、商業的印刷業界の場合、各作業工程において利用される装置は大掛かりなものが多くコストがかかるうえ、これら各工程における作業には専門知識が必要であるため、いわゆる職人と呼ばれる熟練者のノウハウが不可欠であった。
【０００５】
このような状況に対し、最近、電子写真方式の印刷装置やインクジェット方式の印刷装置の高速化、高画質化を受けて、上記商業的印刷業界に対抗する、所謂、ＰＯＤ（Print on Demand）市場と呼ばれる市場が出現しつつある。
【０００６】
ＰＯＤ市場は、比較的小ロットのジョブを、大掛かりな装置やシステムを用いずに、短納期で取り扱うことができるよう、上記大規模な印刷機、印刷手法に代わって出現してきたものである。
【０００７】
しかし、ＰＯＤ市場における画像処理装置は、商業的印刷業界の印刷機と比較すると小規模であるものの、操作パネルとフィニッシャまでの距離が１０メートルを超える装置もあるため、行き来するのには手間がかかってしまう。
【０００８】
特許文献１の通信装置は、着脱可能な操作パネルを有し、ユーザが装置本体から離れた場所で装置本体の着信情報を表示することを可能としている。さらに特許文献１の通信装置は、操作パネルの着脱状態を検知し、予め定めた設定情報と最終的に入力した設定情報とを選択的に切り替えることで、操作パネルを着脱するたびに設定情報を変更するといった手間をなくし、利便性の向上を図っている。
【先行技術文献】
【特許文献】
【０００９】
【特許文献１】特開２００４−２３６１４７号公報
【発明の概要】
【発明が解決しようとする課題】
【００１０】
しかしながら、上記従来の技術では、操作パネルと装置本体が常に無線通信可能である状況を前提とし、操作パネルの着脱状態を検知して、装置本体の設定を切り替えている。このため、この操作パネルと他の装置本体とが無線通信するといったことに関しては何ら考慮されておらず、この操作パネルを用いて他の装置本体を動作させることはできなかった。
即ち、上記従来の技術では、例えば、ＰＯＤ市場において複数の画像処理装置を同時に動作させるときに、１つの操作パネルで操作するといったことができなかった。そのため、上記従来の技術では、複数のユーザが同時に画像処理装置を利用するオフィス環境において生じる以下のような問題には対処できなかった。
【００１１】
オフィス環境で使用される画像処理装置は、種々のユーザの多様なニーズに応じて、次々と機能が追加され進化を続けている。例えば、コピー、パーソナルコンピュータ（ＰＣ）からのプリント指示を受けるＮｅｔｗｏｒｋプリント、ＦＡＸ、スキャンした画像を転送するＳｃａｎＳｅｎｄに加え、メモリメディアを接続して直接内部の画像をプリントするメディアプリントもある。このような状況下では、例えば、コピーを行おうとした直前に他のユーザから大量のＮｅｔｗｏｒｋプリントジョブが発生する等、不便を感じることも少なくない。このような場合に、ユーザが他の画像処理装置を用いることが考えられる。しかし、その際、他の画像処理装置に対して、ユーザが入力途中であった設定と同様の設定を再度行う必要があり、非常に煩雑であった。
【００１２】
本発明は、上記の問題点を解決するためになされたものである。本発明の目的は、多数の機能を持つ画像処理装置が複数存在する現在のオフィス環境やＰＯＤ環境にて、ワイヤレス操作パネルを使用する場合の利便性を向上させる仕組みを提供することである。
【課題を解決するための手段】
【００１３】
本発明は、画像処理装置本体と無線通信可能な操作パネルであって、当該操作パネル上で設定される設定値を保持する保持手段と、前記画像処理装置本体との無線通信状態を判定する通信状態判定手段と、前記通信状態判定手段によって前記画像処理装置本体との無線通信が開始されたと判定された場合、前記保持手段に保持された設定値を前記画像処理装置本体に送信して反映させる反映手段とを有することを特徴とする。
【発明の効果】
【００１４】
本発明によれば、画像処理装置が複数存在する環境にて、画像処理装置と無線通信する操作パネルを使用する場合の利便性を向上させることができる。例えば、ユーザは、操作パネルと無線通信する画像処理装置を変更した場合でも、変更前の画像処理装置に対して入力途中であった設定値を引き継いで、不便なく変更後の画像処理装置を使用することができる。
【図面の簡単な説明】
【００１５】
【図１】本発明の一実施例を示す画像処理装置の利用環境を示す概略図である。
【図２】本体、ホームポジション、操作パネルの制御構成を示すブロック図である。
【図３】操作パネルと本体の無線通信切断時の操作パネルの処理を示したフローチャートである。
【図４】操作パネルと本体の無線通信開示時の操作パネルの処理を示したフローチャートである。
【発明を実施するための形態】
【００１６】
以下、本発明を実施するための形態について図面を用いて説明する。
【実施例１】
【００１７】
図１は、本発明の一実施例を示す操作パネルを備える画像処理装置の利用環境を示す概略図である。
本実施例の画像処理装置（画像形成装置）は、いわゆるプリントオンデマンド（ＰＯＤ）機で、中綴じ製本、裁断、折加工などを行うことができる様々なオプションを組み合わせることで、多彩な印刷・製本要求に応えるものである。
【００１８】
図１記載の画像処理装置１００００Ａは、画像処理装置本体（以下、本体）１０００に対して、用紙デッキ５０００、バインダ６０００、フィニッシャ７０００を組み合わせた例を示している。本実施例の利用環境には同様に画像処理装置１００００Ｂがある。
本体１０００は、ＬＡＮ８０００を介して、パーソナルコンピュータ９０００と接続されている。パーソナルコンピュータ９０００では、一つ一つのページの作成・編集から、製本、裁断、折加工などの設定といった、印刷ジョブの生成が行われる。生成された印刷ジョブは、ＬＡＮ８０００を介して、本体１０００に送られる。
【００１９】
また、図１では、本発明の特徴である着脱可能な操作パネル３０００が、本体１０００上に実装されたホームポジション２０００に装着されている様子を示している。
着脱可能な操作パネル３０００は、ホームポジション２０００に装着されているとき、ホームポジション２０００から供給される電力により充電されるように構成されている。
なお、用紙デッキ５０００、バインダ６０００、フィニッシャ７０００などのオプションは、本発明に直接関係がないので、詳細な説明は割愛する。
【００２０】
図２は、本体１０００、ホームポジション２０００、操作パネル３０００の制御構成を示すブロック図である。以下、本体１０００、ホームポジション２０００、操作パネル３０００のそれぞれを構成するモジュールについて説明する。
まず、本体１０００について説明する。
図２に示すように、本体１０００は、主に、コントローラボード１１００、プリントエンジン１２００、スキャナ１３００、ハードディスクドライブ（ＨＤＤ）１４００、電源モジュール１５００から構成される。それぞれのデバイスは、電源モジュール１５００によって供給される電力によって動作する。
【００２１】
コントローラボード１１００は、ＣＰＵ１１０１、ＦＬＡＳＨ ＲＯＭ１１０２、ＲＡＭ１１０３、ネットワークインタフェースカード（ＮＩＣ）１１０４、メインチャネルコントローラ１１０５、サブチャネルコントローラ１１０６、ディスクコントローラ（ＤＫＣ）１１０７、スキャナインタフェース（ＳＩＦ）１１０８、プリンタインタフェース（ＰＩＦ）１１０９を備えている。デバイス１１０１〜１１０９のそれぞれは、バス１１１０を介して接続されている。
【００２２】
ＣＰＵ１１０１は、バス１１１０に接続される各デバイスを総括的に制御すると共に、ＦＬＡＳＨ ＲＯＭ１１０２及びＨＤＤ１４００に記憶された、制御プログラムとしてのファームウェアモジュールを実行するプロセッサである。ＲＡＭ１１０３は、ＣＰＵ１１０１の主メモリ、ワークエリアとして機能する。
【００２３】
ＮＩＣ１１０４は、ＬＡＮ８０００を介して、パーソナルコンピュータ９０００や、他の画像処理装置と双方向にデータのやり取りを行う。ＨＤＤ１４００は、ＤＫＣ１１０７を介してアクセスされ、ファームウェアモジュールを格納するだけでなく、画像の一時記憶場所としても使用される。
【００２４】
本体１０００に組み付けられたスキャナ１３００は、読み取りセンサや原稿搬送機構等を備える（いずれも不図示）。読み取りセンサや原稿搬送機構等は、コントローラボード１１００上に実装されたＳＩＦ１１０８及びスキャナ１３００上に実装されたＳＩＦ１３０１を介して、ＣＰＵ１１０１で実行されるファームウェアモジュールに基づいて制御される。その結果として、読み取りセンサによって原稿を読み取り、得られたデータをＳＩＦ１３０１及びＳＩＦ１１０８を介してコントローラボード１１００に転送する。
【００２５】
本体１０００に内蔵されたプリントエンジン１２００は、電子写真方式の記録部や記録紙カセット、用紙搬送部等を備える（いずれも不図示）。コントローラボード１１００からは、印刷ジョブに基づく印刷要求がＰＩＦ１１０９及びプリントエンジン１２００上に実装されたＰＩＦ１２０１を介して送られる。記録部や用紙搬送部等は、同様にＰＩＦ１１０９及びＰＩＦ１２０１を介して、ＣＰＵ１１０１で実行されるファームウェアモジュールに基づいて制御される。その結果として、用紙上に印刷要求に応じた画像を形成する。
【００２６】
メインチャネルコントローラ１１０５及びサブチャネルコントローラ１１０６は、本体１０００と、本発明の特徴である着脱可能な操作パネル３０００とのやり取りを行う際に使用される。詳細は後述する。
【００２７】
次に、ホームポジション２０００について説明する。
図２に示すように、ホームポジション２０００は、主にメインボード２１００とコネクタ２２００から構成される。
ホームポジション２０００を構成するメインボード２１００は、主にＩＥＥＥ８０２．１１ｂモジュール２１０１、ｉｒＤＡモジュール２１０２、電源コントローラ２１０３から構成される。
【００２８】
ＩＥＥＥ８０２．１１ｂモジュール２１０１は、コントローラボード１１００のメインチャネルコントローラ１１０５と接続され、コントローラボード１１００からの要求に基づいて、操作パネル３０００との無線通信を仲介する。
【００２９】
また、ｉｒＤＡモジュール２１０２は、コントローラボード１１００のサブチャネルコントローラ１１０６と接続され、コントローラボード１１００からの要求に基づいて、操作パネル３０００との赤外線通信を仲介する。
【００３０】
電源コントローラ２１０３は、電源モジュール１５００と接続されている。ＩＥＥＥ８０２．１１ｂモジュール２１０１やｉｒＤＡモジュール２１０２は、電源コントローラ２１０３経由で電力の供給を受ける。また、電源コントローラ２１０３は、コネクタ２２００とも接続され、操作パネル３０００のコネクタ３５００が接触状態のとき、操作パネルにも電力を供給する。加えて、電源コントローラ２１０３は、電力の供給状態を監視し、ホームポジション２０００と操作パネル３０００とが装着状態にあるか否かを検出し、コントローラボード１１００に伝達する。
【００３１】
次に、操作パネル３０００について説明する。
図２に示すように、着脱可能な操作パネル３０００は、主にメインボード３１００、ＬＣＤ３２００、タッチパネル３３００、ボタンデバイス３４００、コネクタ３５００から構成される。
【００３２】
メインボード３１００は、主にＣＰＵ３１０１、ＩＥＥＥ８０２．１１ｂモジュール３１０２、ｉｒＤＡモジュール３１０３、電源コントローラ３１０４、ディスプレイコントローラ（ＤＩＳＰＣ）３１０５、パネルコントローラ（ＰＡＮＥＬＣ）３１０６、ＦＬＡＳＨ ＲＯＭ３１０７、ＲＡＭ３１０８から構成される。それぞれのモジュール３１０１〜３１０８は、コントローラボード１１００と同様に、バス（不図示）によって接続されている。
【００３３】
ＣＰＵ３１０１は、バスに接続される各デバイスを総括的に制御すると共に、ＦＬＡＳＨ ＲＯＭ３１０７に記憶された、制御プログラムとしてのファームウェアモジュールを実行するプロセッサである。ＲＡＭ３１０８は、ＣＰＵ３１０１の主メモリ、ワークエリア、および、ＬＣＤ３２００に表示するビデオイメージ用エリアとして機能する。
【００３４】
ディスプレイコントローラ（ＤＩＳＰＣ）３１０５は、ＣＰＵ３１０１の要求に応じて、ＲＡＭ３１０８に展開されたビデオイメージをＬＣＤ３２００へ転送するとともに、ＬＣＤ３２００を制御する。結果として、ＬＣＤ３２００上にイメージが表示される。
【００３５】
パネルコントローラ（ＰＡＮＥＬＣ）３１０６は、ＣＰＵ３１０１の要求に応じて、タッチパネル３３００およびボタンデバイス３４００を制御する。その制御によって、タッチパネル３３００上の押下位置や、ボタンデバイス３４００上の押下されたキーコードなどが、ＣＰＵ３１０１に返送される。
【００３６】
電源コントローラ３１０４は、コネクタ３５００と接続され、ホームポジション２０００のコネクタ２２００が接触状態のとき、本体１０００の電源モジュール１５００から電力の供給を受ける。これによって、電源コントローラ３１０４に接続された充電池（不図示）を充電しながら、かつ、操作パネル３０００全体に電力を供給する。もし、電源モジュール１５００から電力が供給されないときは、充電池からの電力を操作パネル３０００全体に供給する。
【００３７】
ＩＥＥＥ８０２．１１ｂモジュール３１０２は、ＣＰＵ３１０１の制御に基づいて、ホームポジション２０００上のＩＥＥＥ８０２．１１ｂモジュール２１０１との無線通信を確立し、本体１０００との通信を仲介する。
【００３８】
ｉｒＤＡモジュール３１０３は、ＣＰＵ３１０１の制御に基づいて、ホームポジション２０００上のｉｒＤＡモジュール２１０２との赤外線通信を確立し、本体１０００との通信を仲介する。
【００３９】
なお、ＳＲＡＭ３１０９は、タッチパネル３３００、キー入力部３４００から入力された要求に従った印刷ジョブの設定を保持する。即ち、ＣＰＵ３１０１が操作パネル上で設定された設定値をＳＲＡＭ３１０９に保持させるように保持制御している。なお、ＳＲＡＭの代わりにＨＤＤであってもよい。
【００４０】
また、外部メモリＩ／Ｆ３１１０は、デジタルカメラの撮影画像記憶装置やＵＳＢメモリ等の外部記憶装置の挿入を受け付け可能である。本実施例の画像処理装置では、外部メモリＩ／Ｆ３１１０により、スキャナ１３００によりスキャンした画像データを上記外部記憶装置に格納する機能が実現可能となる。また、本実施例の画像処理装置では、外部メモリＩ／Ｆ３１１０により、既に上記外部記憶装置に格納されている画像データを読み出してプリントエンジン１２００により印刷したり、ＮＩＣ１１０４を介して他の装置に送信したりする機能も実現可能となる。
【００４１】
ここで、本実施例におけるメインチャネルとしての無線通信について説明する。
図２の説明で少し触れたように、本実施例では、メインチャネルとしての無線通信は公知の技術であるＩＥＥＥ８０２．１１ｂの規格に準じて行われる。もう少し詳しく書くと、本実施例のシステムでは、本体１０００がアクセスポイント（ＡＰ）、操作パネル３０００が端末となるインフラストラクチャモードで無線通信が行われる。
【００４２】
電波が届く範囲に複数の本体がある場合、既存のパーソナルコンピュータのように、操作パネル３０００側に、通信可能な複数の本体のＥＳＳＩＤが表示され、そのうちのひとつを操作パネル３０００から選択できるように構成されている。そして、ここで選択されたＥＳＳＩＤに対応する本体と操作パネル３０００との間でメインチャネルとしての無線通信が確立される。
【００４３】
アソシエーションによって通信相手が確立した後、本実施例の操作パネル３０００は、画面転送方式のシンクライアントとして動作する。すなわち、実処理やビデオイメージ生成のほとんどは、本体１０００のＣＰＵ１１０１で実行される。出来上がったビデオイメージは、予め定められたプロトコルで、本体１０００から操作パネル３０００に無線で送られる。ビデオイメージを受け取った操作パネル３０００のＣＰＵ３１０１は、送られてきたビデオイメージをＲＡＭ３１０８に展開しながら、ＤＩＳＰＣ３１０５制御してＬＣＤ３２００上にビデオイメージを表示させる。
【００４４】
一方、操作パネル３０００のタッチパネル３３００及びボタンデバイス３４００に対するユーザの操作に関連する情報も、予め定められたプロトコルで、操作パネル３０００から本体１０００に無線で送られる。操作に関連する情報は、例えばタッチパネル３３００上の押下位置や、ボタンデバイス３４００上の押下されたキーコードなどに当たる。操作に関連する情報を受け取った本体１０００のＣＰＵ１１０１は、送られてきた情報に基づいて個々の動作を制御する。必要に応じてビデオイメージを更新し、先に説明したようにビデオイメージを操作パネル３０００に送る。
また、操作パネル３０００から切断が指示されると、操作パネル３０００と本体１０００との間のメインチャネルとしての無線通信が切断される。
以上のように、本実施例のシステムは、本体１０００と操作パネル３０００とが無線通信可能なシステムである。
【００４５】
以下、図３、図４のフローチャートを用いて、操作パネル３０００と本体１０００の無線通信切断時の処理、及び、無線通信開始時の処理について説明する。なお、先に説明した通り、本体１０００と操作パネル３０００は、メインチャネルとして、公知の技術でＩＥＥＥ８０２．１１ｂの無線通信を確立する。図３では、公知の技術である無線通信の確立に係る部分については割愛する。
【００４６】
まず、図３のフローチャートを用いて、操作パネル３０００と本体１０００の無線通信切断時の処理の流れを説明する。
図３は、操作パネル３０００と本体１０００の無線通信切断時の操作パネル３０００の処理を示したフローチャートである。なお、図３のフローチャートの各ステップは、操作パネル３０００のＣＰＵ３１０１がＦＬＡＳＨ ＲＯＭ３１０７に記録された制御プログラムを読み出して実行することにより実現される。
【００４７】
まず、ステップＳ１０００１において、ＣＰＵ３１０１は、本体１０００のスキャナ１３００に原稿があるか否かの情報（原稿検知情報）を本体１０００から取得する（原稿検知情報取得処理）。
次に、ステップＳ１０００２において、ＣＰＵ３１０１は、メインチャネルとしての無線通信状態を判定し（通信状態判定処理）、無線通信が切断されたか否かを判定する。そして、メインチャネルとしての無線通信が切断されていないと判定した場合（Ｃ１０００２でＮｏ）、ＣＰＵ３１０１は、ステップＳ１０００１に処理を戻す。
【００４８】
一方、メインチャネルとしての無線通信が切断されたと判定した場合（Ｃ１０００２でＹｅｓ）、ＣＰＵ３１０１は、ステップＳ１０００３に処理を進める。
ステップＳ１０００３では、ＣＰＵ３１０１は、上記ステップＳ１０００１で取得した原稿検知情報に基づいて、スキャナ１３００に原稿が残っているか否かを判定する。そして、スキャナ１３００に原稿が残っていないと判定した場合（Ｓ１０００３でＮｏ）、ＣＰＵ３１０１は、そのままステップＳ１０００５に処理を進める。
【００４９】
一方、スキャナ１３００に原稿が残っていると判定した場合（Ｓ１０００３でＹｅｓ）、ＣＰＵ３１０１は、ステップＳ１０００４に処理を進める。
ステップＳ１０００４では、ＣＰＵ３１０１は、原稿が残っている旨をユーザ（操作者）に警告し、ステップＳ１０００５に処理を進める。上記ステップＳ１０００４の警告は、例えば、「原稿が残っています」等のメッセージと確認ボタンをＬＣＤ３２００に表示し、上記確認ボタンによりユーザに確認入力を促すものとする。そして、この確認ボタンがタッチされると、ＣＰＵ３１０１は、ステップＳ１０００５に処理を進めるものとする。
【００５０】
ステップＳ１０００５では、ＣＰＵ３１０１は、無線通信切断後もＳＲＡＭ３１０９に保持している設定を引き続き使用するか否かの選択をユーザに促すための選択画面（保持選択画面）をＬＣＤ３２００に表示する。この選択画面では、例えば、「通信が切断されました。設定を保持しますか？」等のメッセージと「はい」ボタン、「いいえ」ボタンをＬＣＤ３２００に表示し、「はい」ボタン、又は、「いいえ」ボタンによりユーザに選択入力を促すものとする。なお、「はい」ボタンは、ＳＲＡＭ３１０９に保持している設定を引き続き使用することを指示するためのボタンとする。また、「いいえ」ボタンは、ＳＲＡＭ３１０９に保持している設定を使用しないことを指示すためのボタンとする。
【００５１】
そして、「はい」ボタンがタッチされると、ＣＰＵ３１０１は、ＳＲＡＭ３１０９に保持している設定を引き続き使用すると判定し（Ｓ１０００５でＹｅｓと判定し）、ＳＲＡＭ３１０９に設定を保持した状態で、本フローチャートの処理を終了する。
【００５２】
一方、「いいえ」ボタンがタッチされると、ＣＰＵ３１０１は、ＳＲＡＭ３１０９に保持している設定を使用しないと判定し（Ｓ１０００５でＮｏと判定し）、ステップＳ１０００６に処理を進める。
ステップＳ１０００６では、ＣＰＵ３１０１は、ＳＲＡＭ３１０９に保持している設定を予め定められた所定の値（予め定められた初期値）に戻し（初期化し）、本フローチャートの処理を終了する。
【００５３】
次に、図４のフローチャートを用いて、操作パネル３０００と本体１０００の無線通信開始時の処理の流れを説明する。
図４は、操作パネル３０００と本体１０００の無線通信開示時の操作パネル３０００の処理を示したフローチャートである。なお、図４のフローチャートの各ステップは、操作パネル３０００のＣＰＵ３１０１がＦＬＡＳＨ ＲＯＭ３１０７に記録された制御プログラムを読み出して実行することにより実現される。
【００５４】
まず、ステップＳ２０００１において、ＣＰＵ３１０１は、本体１０００とメインチャネルとしての無線通信状態を判定し（通信状態判定処理）、無線通信が開始されたか否かを判定する。そして、メインチャネルとしての無線通信が開始されていないと判定した場合（Ｓ２０００１でＮｏ）、ＣＰＵ３１０１は、ステップＳ２０００１に処理を戻す。
【００５５】
一方、本体１０００とメインチャネルとしての無線通信が開始されたと判定した場合（Ｓ２０００１でＹｅｓ）、ＣＰＵ３１０１は、ステップＳ２０００２に処理を進める。
ステップＳ２０００２では、ＣＰＵ３１０１は、操作パネル３０００からジョブ実行の指示（本体への実行指示）が入力されたか否かを判定する（ジョブ指示判定処理）。そして、ジョブ実行の指示が入力されていないと判定した場合（Ｓ２０００２でＮｏ）、ＣＰＵ３１０１は、ステップＳ２０００１に処理を戻す。なお、上記操作パネル３０００からのジョブの実行指示は、操作パネル３０００で指示可能な本体１０００のジョブならどのようなジョブであってもよい。例えば、本体１０００のスキャナ１３００から原稿を読み込むスキャンジョブや、スキャナ１３００から原稿を読み込んでプリントエンジン１２００から印刷するコピージョブや、ＨＤＤ１４００内のボックス領域に格納される画像データをプリントエンジン１２００から印刷するボックス印刷ジョブ等であってもよい。
【００５６】
一方、ジョブ実行の指示が入力されたと判定した場合（Ｓ２０００２でＹｅｓ）、ＣＰＵ３１０１は、ステップＳ２０００３に処理を進める。
ステップＳ２０００３では、ＣＰＵ３１０１は、無線通信開始後にＳＲＡＭ３１０９に保持している設定をジョブ（画像処理ジョブ）に反映するか否かの選択をユーザに促すための選択画面（反映選択画面）をＬＣＤ３２００に表示する。この選択画面では、例えば、「保持している設定を実行するジョブに反映させますか？」等のメッセージと「はい」ボタン、「いいえ」ボタンをＬＣＤ３２００に表示し、「はい」ボタン、又は、「いいえ」ボタンによりユーザに選択入力を促すものとする。なお、「はい」ボタンは、ＳＲＡＭ３１０９に保持している設定をジョブに反映させることを指示するためのボタンとする。また、「いいえ」ボタンは、ＳＲＡＭ３１０９に保持している設定をジョブに反映させないことを指示すためのボタンとする。
【００５７】
そして、「はい」ボタンがタッチされると、ＣＰＵ３１０１は、ＳＲＡＭ３１０９に保持している設定をジョブに反映させると判定し（Ｓ２０００３でＹｅｓと判定し）、そのままステップＳ２０００５に処理を進める。
【００５８】
一方、「いいえ」ボタンがタッチされると、ＣＰＵ３１０１は、ＳＲＡＭ３１０９に保持している設定をジョブに反映させないと判定し（Ｓ２０００３でＮｏと判定し）、ステップＳ２０００４に処理を進める。
【００５９】
ステップＳ２０００４では、ＣＰＵ３１０１は、ＳＲＡＭ３１０９に保持している設定を予め定められた所定の値に戻し、ステップＳ２０００５に処理を進める。
ステップＳ２０００５では、ＣＰＵ３１０１は、ＳＲＡＭ３１０９に保持している設定を本体１００００に通知（送信）するとともに、ジョブを実行するように本体１００００に指示し、本フローチャートの処理を終了する。
これにより、本体１０００のＣＰＵ１１０１は、上記操作パネル３０００から送信された設定値を例えばＲＡＭ１１０３内の設定値保存領域に保存し（反映し）、該設定値を用いて上記指示されたジョブを実行するように制御する。なお、本体１０００のＣＰＵ１１０１が、上記操作パネル３０００から送信された設定値を上記指示されたジョブのみに反映するように構成してもよい。
【００６０】
また、実施例１では、メインチャネルとしてＩＥＥＥ８０２．１１ｂのインフラストラクチャモードを使う例を示した。しかしながら、メインチャネルはインフラストラクチャモードである必要はなく、例えばアドホックモードでも構わない。また、ＩＥＥＥ８０２．１１ｂである必要もない。例えば、メインチャネルとして、Ｂｌｕｅｔｏｏｔｈのような無線通信技術を応用した通信であっても、本発明の効果を得ることができる。ただし、この場合は識別子としてＥＳＳＩＤでなく、独自のＩＤを用いる必要がある。また、メインチャネルとしてＩＥＥＥ８０２．１１ｂを用いる場合であっても、識別子がＥＳＳＩＤである必要は全くなく、他のＩＤを用いてもよい。
さらに、実施例１では、サブチャネルとしてｉｒＤＡのｉｒＣＯＭＭを用いる例を示した。しかしながら、サブチャネルはｉｒＣＯＭＭである必要はない。いうまでもなく、ｉｒＤＡに限定する必要もない。例えば、コネクタ２２００およびコネクタ３５００に接点を設け、既存のＵＡＲＴ通信ができるように構成しても、本発明の効果は得られる。
【００６１】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
本発明の様々な例と実施例を示して説明したが、当業者であれば、本発明の趣旨と範囲は、本明細書内の特定の説明に限定されるのではない。
なお、上述した各実施例及びその変形例を組み合わせた構成も全て本発明に含まれるものである。
【００６２】
以上の例示が如くの本実装形態の画像処理装置による効果を以下に例示する。
多数の機能を持つ画像処理装置が複数存在する現在のオフィス環境やＰＯＤ環境にて、ワイヤレス操作パネルを使用する場合の利便性を向上させることができる。この結果、その時々で使用可能な画像処理装置をワイヤレス操作パネルから流動的に利用することができる。
例えば、従来の課題に対処し、以下のような画像処理装置を提供することができる。即ち、ユーザは、操作パネル３０００と通信する画像処理装置本体を変更したい場合、変更前の画像処理装置本体に対して入力途中であった設定を引き継ぐことで、不便なく変更後の画像処理装置本体を使用することができる。
【００６３】
また、操作パネル３０００と画像処理装置本体との通信切断時に、操作パネル３０００を使用しているユーザに対して、操作パネル３０００の設定を引き継いで使用するか否かを選択させる。このため、あるユーザが使用していた操作パネル３０００を他のユーザが別に画像処理装置本体と接続させて使用するような場合でも、他のユーザが意図しない設定で画像処理装置本体を動作させてしまうことを防止できる。
【符号の説明】
【００６４】
１０００    画像処理装置本体（本体）
２０００    ホームポジション
３０００    操作パネル
【図１】
2011096053.tif 000003
【図２】
2011096053.tif 000004
【図３】
2011096053.tif 000005
【図４】
2011096053.tif 000006